(57)【要約】    【課題】  消臭剤の消臭効果を短時間に、しかも簡便にイメージで捉えることができる方法を提供すること。    【解決手段】  有色気体雰囲気下に被験物質を配置し、当該有色気体雰囲気の色の消失を指標として当該被験物質の中から被検物質を選別する工程を有する、被検物質のスクリーニング方法。【選択図】  なし【特許請求の範囲】
【請求項１】
有色気体雰囲気下に被験物質を配置し、当該有色気体雰囲気の色の消失を指標として当該被験物質の中から被検物質を選別する工程を有する、被検物質のスクリーニング方法。
【請求項２】
被検物質の選別が同時に消臭物質を選別する方法となる、請求項１に記載するスクリーニング方法。
【請求項３】
有色気体が、窒素酸化物である請求項１または２に記載する方法。
【請求項４】
有色気体雰囲気下に被験物質を配置し、当該有色気体雰囲気中の色の変化を測定することを特徴とする、当該被験物質の消臭効果を視覚的に評価する方法。
【請求項５】
有色気体が、窒素酸化物である請求項４に記載する方法。
【請求項６】
有色気体及び有色気体吸着物質、並びに必要に応じて密閉容器を有する、請求項１または５に記載の方法に使用するためのキット。
【発明の詳細な説明】
【技術分野】
【０００１】
本発明は、本発明は、被験物質のスクリーニング方法および被験物質の消臭効果を視覚的に評価する方法に関する。
【背景技術】
【０００２】
生活水準の向上に伴って、居室空間の臭気を除去する要望が高まっており、トイレ、キッチン、玄関、リビング等の様々な場所に消臭剤が使用されている。消臭剤の消臭効果については、現在、官能試験や、機器又は検知管を使用した定量試験が利用されている（例えば、特許文献1参照。）。
【０００３】
しかしながら、そのような官能試験や定量試験では、被験物質の消臭効果を測定して結果を待つまでに時間がかかり、手間もかかる。
【０００４】
従って、被検物質の消臭効果を迅速かつ簡便に確認する方法が強く望まれている。
【特許文献１】特開2001-220593号公報
【発明の開示】
【発明が解決しようとする課題】
【０００５】
本発明の第１の目的は、被験物質が消臭効果を有するか否か短時間にしかも簡便にスクリーニングする方法を提供することである。また本発明の第２の目的は、被験物質が有する消臭効果を短時間にしかも簡便に評価するための方法を提供することである。
【課題を解決するための手段】
【０００６】
本発明は、下記の方法に関する。
【０００７】
１．有色気体雰囲気下に被験物質を配置し、当該有色気体雰囲気の色の消失を指標として当該被験物質の中から被検物質を選別する工程を有する、被検物質のスクリーニング方法。
【０００８】
２．被検物質の選別が同時に消臭物質を選別する方法となる、上記項１に記載するスクリーニング方法。
【０００９】
３．有色気体が、窒素酸化物である上記項１または２に記載する方法。
【００１０】
４．有色気体雰囲気下に被験物質を配置し、当該有色気体雰囲気中の色の変化を測定することを特徴とする、当該被験物質の消臭効果を視覚的に評価する方法。
【００１１】
５．有色気体が、窒素酸化物である上記項４に記載する方法。
【００１２】
６．有色気体及び有色気体吸着物質、並びに必要に応じて密閉容器を有する、上記項１または５に記載の方法に使用するためのキット。
【００１３】
（１）スクリーニング方法
本発明は、被検物質のスクリーニング方法を提供する。当該スクリーニング方法は、数多ある被験物質の中から吸着効果を有する物質（吸着性物質）を選別するための方法であって、具体的には、有色気体雰囲気下に対象の被験物質を配置し、当該有色気体の色の消失を指標として当該被験物質の中から吸着性物質を選別することによって実施することができる。
【００１４】
なお、有色気体の色の消失の有無は、目視によって行うこともできるが、例えば、容器の写真をデジタルカメラで撮影した後に色差計で測定するといった方法も可能である。また、まず目視によるスクリーニングによって数多の被験物質群の中から吸着性物質を篩い分けし、次いで、篩い分けられた被験物質を対象として前記の方法を用いたスクリーニングを行うことによって、当該被験物質の中から所望の吸着性物質を選別するなど、有色気体の色消失の検出方法を変えることにより、効率的で簡便で、しかも精度良く所望の吸着性物質を選別取得することが可能である。
【００１５】
当該スクリーニング方法で用いる有色気体は、取得対象の吸着性物質の種類によって異なるが、原則として、色を有する気体であればよく特に制限されない。有色の気体としては、例えば、二酸化窒素、フッ素、塩素、臭素、ヨウ素、二酸化塩素等を挙げることができる。また、タバコの煙、工場、焼却炉から排出される煙、自動車、バス、トラック等から排出される排気ガス等も有色気体に含めることができる。これらの中でも、二酸化窒素、塩素、二酸化塩素等が視覚的効果に優れているので、好適に用いられる有色気体である。さらに好ましくは二酸化窒素である。
【００１６】
本発明で使用する有色の気体は、市販のものを使用することができるし、公知の方法により製造することもできる。例えば、二酸化窒素は、銅と硝酸を反応させることにより得ることができる。
【００１７】
また、有色気体が色と同時に臭気を有するものである場合、上記のスクリーニング方法を行うことにより、被検物質が選別できると同時に消臭物質（消臭効果を発揮する物質）をも選別することができる。ゆえに、この場合は、本発明のスクリーニング方法は、消臭物質のスクリーニング方法と言い換えることができる。
【００１８】
なお、色と同時に臭気を有する有色気体としては、二酸化窒素、フッ素、塩素、臭素、ヨウ素、二酸化塩素等を挙げることができ、その中でも、好ましくは二酸化窒素、塩素、二酸化塩素等、より好ましくは二酸化窒素等が好適に使用できる。
【００１９】
こうした本発明のスクリーニング方法は、有色気体の色の消失が視認できる条件下であれば、開放条件下で行っても、また閉鎖（密閉）条件下で行ってもよい。好ましくは閉鎖（密閉）条件下での実施である。閉鎖（密閉）条件下で行うほうが、有色気体雰囲気下における気体の流動がないため、色の消失過程をより正確且つ鮮明に観察することができ、また有色気体による臭いや着色等といった外部汚染を防止することができるからである。
【００２０】
閉鎖（密閉）条件下でスクリーニングを行う方法としては、簡便には密閉容器を使用する方法を挙げることができる。当該密閉容器は、内部に入れられた有色気体が容器の外に流出しないか又はほとんど流出しない程度に密閉性を有する容器であれば限定されない。さらに好ましくは、有色気体が密閉容器内部の表面に付着もしくは吸着しない素材のものであり、また容器内部が有色気体の付着／吸着を防止するための表面処理が施されたものであってもよい。さらに本発明では、被検物質の消臭効果を視覚的に（視覚を通じて）確認する必要があるので、密閉容器は、一部に透明若しくは半透明の窓を有するものであるか、または全てが透明又は半透明であることが必要である。
【００２１】
また、有色気体を鮮明に観察できるように、容器の少なくとも一面を着色したり、少なくとも一面に有色のものを貼り付けたりすることも可能である。
【００２２】
当該容器は有色気体及び有色気体吸着物質を出し入れすることができるようになっていることが必要であるが、その大きさや形状等は限定されない。かかる大きさや形状は、中に配置する商品形態を有する有色気体吸着物質の大きさや使用する有色気体の濃度等に応じて適宜選択することができる。例えば、箱状（立方体状、直方体状等）、円柱状、三角錐状、球状などの形状が例示できるが、これらに限定されない。容器の材質も、上記限りにおいて限定されず、ガラス、アクリル樹脂、プラスチック、ポリエチレン樹脂等が例示できる。また、上記容器の内表面をフッ素加工したり、フッ素加工した透明又は半透明シートで上記容器の内表面を覆ったりすることもできる。さらに、本発明において容器にはビニール袋、例えば、テトラーバック等の袋類も含み、その袋類が有色気体を密閉することができれば使用することができる。
【００２３】
密閉容器を用いて本発明スクリーニングを行う場合、まず、有色気体を密閉容器に封入して充填する。有色気体の封入／充填は、シリンジ等の道具を用いて行ってもよいし、当該気体を収容している容器から直接充填してもよい。次いで、当該容器内に被検物質を配置する。但し、密閉容器に有色気体と被検物質を配置する順序は上記のものに限定されず、予め被検物質を配置した密閉容器に有色気体を封入してもよい。
【００２４】
当該物質を上記の容器内に配置することにより、容器内の有色気体が当該物質に吸着され、経時的に容器内の色が消失していく。この経時的な色の変化（色の消失変化）を確認することにより、当該被検物質の消臭効果を迅速かつ簡便にイメージとして捉えることができる。
【００２５】
また、当該スクリーニング方法も、前述するように閉鎖（密閉）条件下で行うことが好ましい。具体的には、有色気体を封入／充填した密閉容器内に被検物質を配置した場合と、有色気体を封入／充填した密閉容器内に被検物質を配置しない場合（対照）とで、容器内の色の経時的変化の様子を対比的に示す。これによって、弱い消臭効果を有する被検物質であってもその効果を確認することができる。
【００２６】
２以上の容器に気体を充填する場合は、各容器において気体の量又は濃度が同等になるようにするのが好ましい。
【００２７】
なお、上記スクリーニング方法を行う際に、密閉容器に充填する有色気体の量又は濃度、被検物質の大きさや形状等は限定されず、気体の種類、対象商品の大きさ、密閉容器の大きさ等に応じて適宜選択することができる。
【００２８】
（２）消臭効果の評価方法
本発明はまた、被験物質の消臭効果を視覚的に評価する方法を提供するものである。当該評価方法は、具体的には有色気体雰囲気下に被験物質を配置し、当該有色気体雰囲気中の色変化を測定することによって実施することができる。この際に有色気体雰囲気中の色が消失する場合は被験物質に消臭効果があると、また有色気体雰囲気中の色が消失しない場合は被験物質に消臭効果がないと判断することができる。
【００２９】
本発明の方法で使用される有色気体は、色と同時に臭気を有する有色気体であり、かかるものとしては二酸化窒素、塩素、臭素、ヨウ素、二酸化塩素等を挙げることができる。その中でも、二酸化窒素、塩素、二酸化塩素当が好ましく、二酸化窒素が特に好ましい。
【００３０】
本発明において、有色気体の色の変化（消失の有無）は、目視によって測定することもできるが、例えば、容器の写真をデジタルカメラで撮影した後に色差計で測定するといった方法も可能である。また、まず目視による測定によって被験物質の消臭効果の有無をおおまかに判断し、必要に応じて、更に前記の方法による測定によって、当該被験物質の消臭効果をより精度良く評価することも可能である。
【００３１】
本発明の評価方法は、上記スクリーニング方法の項で説明した密閉容器などを用いて、閉鎖（密閉）条件下で行うことが好ましい。なお、かかる具体的な密閉容器の種類や具体的な方法については、前述するスクリーニング方法の記載を参酌することができる。
【００３２】
（３）キット
本発明において使用する、密閉容器、有色気体及び被検物質は、キットとして使用することができる。これらをキットとすることにより、持ち運びも容易となり、様々な場所で迅速かつ簡便に上記の本発明の方法を実施することができる。
【発明の効果】
【００３３】
本発明のスクリーニング方法によれば、多くの被験物質の中から吸着効果又は／及び消臭効果を有する物質を視覚によって、迅速かつ簡便に選別することができる。さらに、本発明の評価方法によれば、被験物質の消臭効果を視覚によって、迅速かつ簡便に評価することができる。
【発明を実施するための最良の形態】
【００３４】
以下、実施例を示し、本発明の特徴を一層明確にする。本発明はこれら実施例に限定されるものではない。
【実施例】
【００３５】
実施例１
300mlの三角フラスコ中に銅板（50mm×25mm×1mm；日本テストパネル大阪株式会社製JISH3100）を入れ、そこに硝酸を50ml加えた（試薬特級  和光純薬社製  Cat. No. 141-0136）。ただちに10Lのテドラーバッグ（GLサイエンス社製）に上記の三角フラスコを入れ、クリップ（GLサイエンス社製）で密閉した。
【００３６】
テドラーバッグ中に二酸化窒素（赤褐色）が充満するのを待ち（約10分程度）、ガラスシリンジ（200ml）を用いて、テドラーバッグ中の二酸化窒素をアクリルボックス中に500ml注入し、蓋を占めて密閉した。同様のアクリル容器をもう一つ用意した。
【００３７】
片方のアクリル容器には、被検物質としてとして、素焼状に焼成した粘土にペーパースラッジを付着させたもの（特願2003-342699：「炭力（小林製薬株式会社製）」）を配置した。経時的に観察した容器内の色の変化を図1〜3に示す。図1は被検物質を添加して0分後、図2は被検物質を添加して15分後、図3は被検物質を添加して30分後、図4は被検物質を添加して60分後の状態を示す。
【００３８】
なお、窒素酸化物（No.10）の気体検知管（ガステック社製）を用いて消臭試験を行った結果、被検物質を配置する前はどちらの容器内も10000ppmであった。被検物質を配置して1時間後は、被検物質を配置していない容器中は9000ppm、被検物質を配置した容器中は200ppmであった。このことから、被検物質により消臭効果を有することが確認された。
【００３９】
これらの図より、被検物質を配置した容器内の色が経時的に消失する様子が、明瞭に確認できた。従って、上記の方法によれば、当該被験物質の消臭効果の評価に利用することができ、これによって数多ある被験物質の中から吸着性を有する所望の物質を選別することができると考えられる。すなわち、上記方法は、吸着性物質のスクリーニング方法として好適に用いることができる。
【図面の簡単な説明】
【００４０】
【図１】実施例1において、被検物質を添加して0分後の状態を示す。右図は、被検物質を配置した場合を、左図は、有色気体吸着物質を配置しなかった場合を示す（原本はカラー図）。
【図２】実施例1において、被検物質を添加して15分後の状態を示す。右図は、被検物質を配置した場合を、左図は、被検物質を配置しなかった場合を示す（原本はカラー図）。
【図３】実施例1において、被検物質を添加して30分後の状態を示す。右図は、被検物質を配置した場合を、左図は、被検物質を配置しなかった場合を示す（原本はカラー図）。
【図４】実施例1において、被検物質を添加して60分後の状態を示す。右図は、被検物質を配置した場合を、左図は、被検物質を配置しなかった場合を示す（原本はカラー図）。
【図１】
2005201827.tif 000002
【図２】
2005201827.tif 000003
【図３】
2005201827.tif 000004
【図４】
2005201827.tif 000005